(57)【要約】【課題】  無線方式を用いる車載装置の検査において、一の車載装置を容易に特定して検査できる検査システムを提供する。【課題を解決するための手段】【解決手段】  本発明の検査システムは、複数の検査ライン３と、検査ライン３上の車載装置１０と無線接続して、該車載装置１０を検査する複数の検査装置２と、を有し、検査装置２は、車載装置１０と通信が可能な範囲を拡大または縮小して、一の車載装置１０を特定し、無線接続する。【選択図】            図２
2006031118.tif 000002
【特許請求の範囲】
【請求項１】
複数の検査ラインと、
前記検査ライン上の被検査物と無線接続して、該被検査物を検査する複数の検査装置と、
を有し、
前記検査装置は、前記被検査物と通信が可能な範囲を拡大または縮小して、一の前記被検査物を特定し、無線接続する検査システム。
【請求項２】
前記検査装置は、前記被検査物を１台も特定できない場合、通信が可能な範囲を拡大し、前記被検査物を２台以上特定した場合、通信が可能な範囲を縮小することによって、一の前記被検査物を特定する請求項１に記載の検査システム。
【請求項３】
前記検査装置は、前記被検査物の特定後、認証処理を行い、該被検査物との接続を確立する請求項１または２に記載の検査システム。
【請求項４】
前記検査装置は、前記検査ラインごとに設けられ、同一検査ライン上の前記被検査物と無線接続して、該被検査物を検査し、
前記検査ラインごとに設けられ、同一の検査ラインにある前記検査装置と接続され、該検査装置による検査結果を表示する結果表示機を、さらに有する請求項１〜３のいずれか一項に記載の検査システム。
【請求項５】
前記被検査物に設けられ、該被検査物の検査結果を表示する表示手段を、さらに有し、
前記検査装置は、無線接続された前記被検査物の前記表示手段に検査結果を出力する検査システム。
【請求項６】
検査開始の合図により、検査可能な被検査物を無線通信により検索する工程と、
前記被検査物と通信が可能な範囲を拡大または縮小して、一の前記被検査物を特定し、無線接続する工程と、
無線接続した前記被検査物を検査する工程と、
を含む検査方法。
【発明の詳細な説明】
【技術分野】
【０００１】
本発明は、車両に搭載する車載装置の検査システムおよび検査方法に関する。
【背景技術】
【０００２】
ユーザの携帯電話と、自動車に搭載される車載装置とをケーブルを介して接続する技術が提案されている。この技術により、ハンズフリー電話機能、各種インターネットコンテンツの閲覧、電子メールの送受信、通信ナビゲーションシステムなどの各種機能を車載装置で実現できる。
【０００３】
このような車載装置は、出荷前に正常に機能するか否かを検査する必要がある。検査では、携帯電話の機能を擬似的に実現する検査装置を用いる。検査装置と車載装置とをケーブルで有線接続し、音声やコマンドの入出力が行えるかを検査する。
【０００４】
検査結果は、結果表示機のランプの点灯により作業者に示される。検査装置および結果表示機は、検査ラインごとに設けられている。ある検査ラインで行われた検査結果は、該検査ラインに設けられる結果表示機に表示される（例えば、特許文献１参照）。
【特許文献１】特開２０００−１４６７６６号公報（段落「００１４」、「００２１」等参照）
【発明の開示】
【発明が解決しようとする課題】
【０００５】
近年さらに一歩進んで、携帯電話と、車載装置とをブルートゥース（Ｂｌｕｅｔｏｏｔｈ：登録商標）を用いて無線接続する技術が提案されている。無線接続に対応する車載装置を検査するためには、携帯電話の機能を擬似的に実現する検査装置と無線接続する必要がある。
【０００６】
上記有線の場合と同様に複数の検査ラインに複数の検査装置を用意して、複数の検査を同時に行うと、次の問題がある。
【０００７】
検査装置が車載装置と通信できる範囲を一定とした場合、範囲が広いと、複数の車載装置が検出され、狭いとノイズが入り安定した検査ができない。
【０００８】
ここで、うまく一の車載装置だけを特定できるように検査装置の設置場所を決定できればよい。しかし、検査装置と車両の周辺は、無線通信の障害の要因となるものが多く存在し、また、周辺のものに対して無線が反射するので、一の車載装置だけを特定できるような検査装置の場所を探すことは困難である。
【０００９】
特に、隣接する他のラインに流れる車両が移動すると、無線に大きく影響する。これらの影響を考慮して、検査装置が車載装置と通信できる範囲は、広めに設定せざるを得ない。これでは、やはり、一の車載装置だけを特定できない。
【００１０】
本発明は、上記事情に鑑みてなされたものであり、無線方式を用いる車載装置の検査において、一の車載装置を容易に特定して検査できる検査システムおよび検査方法の提供を目的とする。
【課題を解決するための手段】
【００１１】
本発明の第１は、複数の検査ラインと、前記検査ライン上の被検査物と無線接続して、該被検査物を検査する複数の検査装置と、を有し、前記検査装置は、前記被検査物と通信が可能な範囲を拡大または縮小して、一の前記被検査物を特定し、無線接続する検査システムである。
【００１２】
本発明の第２は、査開始の合図により、検査可能な被検査物を無線通信により検索する工程と、前記被検査物と通信が可能な範囲を拡大または縮小して、一の前記被検査物を特定し、無線接続する工程と、無線接続した前記被検査物を検査する工程と、を含む検査方法である。
【発明の効果】
【００１３】
本発明の第１によれば、被検査物と通信が可能な範囲を拡大または縮小するので、容易に一の被検査物だけを特定できる。
【００１４】
本発明の第２によれば、被検査物と通信が可能な範囲を拡大または縮小するので、容易に一の被検査物だけを特定できる。
【発明を実施するための最良の形態】
【００１５】
以下、図面を参照して、本発明の実施の形態を説明する。
【００１６】
（第１実施形態）
第１実施形態の検査システムは、複数の検査ラインと、前記検査ライン上の被検査物と無線接続して、該被検査物を検査する複数の検査装置と、を有し、前記検査装置は、前記被検査物と通信が可能な範囲を拡大または縮小して、一の前記被検査物を特定し、無線接続する検査システムである。
【００１７】
また、第１実施形態の検査方法は、検査開始の合図により、検査可能な被検査物を無線通信により検索する工程と、前記被検査物と通信が可能な範囲を拡大または縮小して、一の前記被検査物を特定し、無線接続する工程と、無線接続した前記被検査物を検査する工程と、を含む検査方法である。
【００１８】
本発明では、車両に搭載される車載装置を被検査物として、複数の車載装置のうちから一つの車載装置を特定して、検査し、作業者に適当に検査結果を示すことを目的とする。最初に、車載装置の構成および検査装置の機能について説明する。
【００１９】
図１は、第１実施形態における車載装置の概略構成および検査装置の機能概要を示す図である。
【００２０】
車載装置１０は、携帯電話と通信を行い、携帯電話の各種機能を車両１内で実現するものである。車載装置１０と携帯電話とは有線で接続されず、無線通信によりデータを送受信する。ユーザが車両１に乗り込んだだけで、自動的に携帯電話の機能を車両１で利用できるようにするためである。この無線通信には、ブルートゥース（Ｂｌｕｅｔｏｏｔｈ：登録商標）のような短距離向けの無線通信規格を用いる。
【００２１】
車載装置１０は、各構成を制御する制御部１１と、該制御部１１に接続されるマイク１２、スピーカ１３、ステアリングスイッチ（ＳＷ）１４およびディスプレイ１５を有する。
【００２２】
制御部１１は、携帯電話と通信するための通信部を含み、携帯電話との相互通信を可能とする。また、制御部１１は、上記マイク１２、スピーカ１３、ステアリングスイッチ１４およびディスプレイ１５を制御し、また、それら各構成とのデータの送受信を行う。
【００２３】
マイク１２は、ユーザが音声を入力するために設けられている。スピーカ１３は、音声を出力するために設けられている。マイク１２による音声入力と、スピーカ１３による音声出力により、ユーザは、携帯電話を手に持たずに通話相手と会話できる。いわゆるハンズフリー通話機能が実現される。なお、電話以外にも、マイク１２は所定の命令等の音声入力等にも使用され、また、スピーカ１３は音楽やテレビの音声の発生にも使用される。
【００２４】
ステアリングＳＷ１４は、自動車のハンドルに設けられているスイッチである。具体的には、例えば、通話ボタン、音量調節ボタンなどである。これらのボタンの操作に基づいて、制御部１１は携帯電話に信号を送信し、携帯電話を操作する。運転中に電話がかかってきた場合、ユーザはハンドルにあるステアリングＳＷ１４を押して、呼び出しに応答できる。後は、マイク１２とスピーカ１３を用いて会話ができる。
【００２５】
ディスプレイ１５は、例えば、携帯電話に受信された電子メールを、制御部１１を介して携帯電話から受信し、表示する。他にも、例えば、携帯電話から接続したインターネットサイトのコンテンツを表示できる。
【００２６】
検査装置２は、車両１量産時の完成検査に用いられる。検査装置２は、ユーザが持つブルートゥース無線接続可能な携帯電話の代わりに車両１（車載装置１０）と無線接続する。そして、検査装置２は、あたかも車載装置１０が携帯電話と通信しているように、（１）通話動作、（２）コンテンツ閲覧動作、（３）電子メール受信動作、（４）通信ナビゲーション動作を擬似的に実現する。
【００２７】
（１）通話動作は、ユーザが携帯電話で他人の携帯電話や固定電話と通話している動作である。（２）コンテンツ閲覧動作は、ユーザの携帯電話でインターネット上のあるコンテンツを閲覧する動作である。（３）電子メール動作は、ユーザの携帯電話で電子メールを受信する動作である。（４）通信ナビゲーション動作は、ユーザの携帯電話で通信ナビゲーション用のサーバにアクセスし、カーナビゲーションシステムを利用する動作である。
【００２８】
これら動作の擬似的な実現のため、検査装置２は、一台でユーザの携帯電話、通話相手先の電話、各種サーバ、およびこれらを接続する公衆回線網の役割を果たす。そして、検査装置２は、あたかも車載装置１０がユーザの携帯電話を介して通話相手と電話し、各種サーバにアクセスしているように見せる。検査装置２は、車載装置１０と文字、画像、および音声データの送受信を行い、これに対応して車載装置１０が適当に動作するかどうかを検査する。
【００２９】
ここで行う検査は、具体的には、次の検査１〜４である。
【００３０】
（検査１）
検査装置２は、携帯電話に着信があったかのように呼び出し信号を発生し、車載装置１０に送信する。ここで、車載装置１０のスピーカ１３から呼び出し音が発生すれば、車載装置１０が携帯電話の着信に対応して動作していることを確認できる。また、マイク１２に作業者が音声を入力する。該音声が制御部１１を介して検査装置２に送信されれば、通話中のユーザの声が相手の電話に届くことが確認できる。
【００３１】
（検査２）
また、検査装置２は、所定のコンテンツのデータを車載装置１０に送信する。これがディスプレイ１５に表示されれば、携帯電話を介してインターネット上の情報をディスプレイ１５で表示できることを確認できる。
【００３２】
（検査３）
検査装置２は、所定のメッセージの電子メールを車載装置１０に送信する。これがディスプレイ１５に表示されれば、携帯電話を介して電子メールの内容をディスプレイ１５に表示できることを確認できる。
【００３３】
（検査４）
検査装置２は、カーナビゲーション用のデータを車載装置１０に送信する。これがディスプレイ１５に表示されれば、携帯電話を介してカーナビゲーション用のデータを得て、活用できることを確認できる。
【００３４】
なお、上記検査１において、検査装置２は実際には、他人の電話に接続されていない。その代わりに、検査装置２は、電話があったように着信データを車載装置１０に送信する機能を有する。また、上記検査２〜４において、検査装置２は実際には、インターネットに接続されていない。その代わりに、検査装置２は、車載装置１０への送信用に、コンテンツのデータ、電子メールのデータ、カーナビゲーション用のデータを予め記憶している。
【００３５】
このように、検査装置２が擬似的に他人の電話やインターネットに接続されているように振舞えれば、実際に検査装置２をインターネット等に接続する必要がない。これにより、コストを低減できる。
【００３６】
次に、実際に、検査装置２により車両１の完成検査を行う様子を、図２を参照して説明する。
【００３７】
図２は、第１実施形態における検査システムを示す概略図である。
【００３８】
第１実施形態の検査システムは、検査ライン３と、検査装置２と、結果表示機４とをそれぞれ複数有する。
【００３９】
検査ライン３は、複数本設けられており、それぞれに、車載装置１０を搭載した車両１が運搬される。運搬されてきた車載装置１０は、検査装置２により検査される。各検査ライン３には、図示しないトリガー発生装置が設けられている。
【００４０】
トリガー発生装置は、車両１が検査工程に入ってきたことを検出し、検査開始の合図であるトリガーを同じ検査ライン３の検査装置１０に送信する。ここで、トリガー発生装置は、たとえば、光電管の光の遮光に従って車両１の通過を検出し、トリガーを発生するものである。または、トリガー発生装置は、作業者が所定のボタンを押下することに基づいて、入力されてもよい。
【００４１】
結果表示機４は、検査ライン３ごとに設けられ、同一の検査ライン３の検査装置２と接続されており、該検査装置２による検査結果を表示する。
【００４２】
検査装置２は、検査ライン３ごとに設けられ、同一検査ライン３上の車載装置１０と無線接続して、該車載装置１０を検査する。検査装置２は、通信が可能な範囲を変更して、通信可能な車載装置１０を制限することで、自身と同じ検査ライン３上の車載装置１０を特定し、無線接続する。通信が可能な範囲を変更するために、検査装置２は、上記図１の構成に加えて、図３に示す構成を有する。
【００４３】
図３は、検査装置２の通信範囲を可変にする構成を示すブロック図である。
【００４４】
図３に示すように、検査装置２には、ＣＰＵ２１と、無線部２２と、プログラマブル可変アッテネータ２３が含まれる。
【００４５】
ＣＰＵ２１は、検査装置２の動作を制御する。ＣＰＵ２１は、車載装置１０との無線通信における処理や、車載装置１０を検査する処理等を実行する。ＣＰＵ２１は、無線部２２およびプログラマブル可変アッテネータ２３と接続されている。
【００４６】
無線部２２は、車載装置１０と無線通信するために電波を送信および受信する。無線部２２における電波の送信出力および受信感度は一定である。
【００４７】
プログラマブル可変アッテネータ２３は、ＣＰＵ２１に制御され、無線部２２から出力される電波の強度、すなわち送信出力を調整して、外部に出力する。また、プログラマブル可変アッテネータ２３は、受信した電波の強度、すなわち受信感度を調整して、無線部２２に伝達する。このように送信強度および受信感度を調整して、プログラマブル可変アッテネータ２３は、検査装置２の通信可能範囲を調整する。
【００４８】
たとえば、図２に示すように、通信可能範囲を、一番狭い第１段階から一番広い第３段階まで調整できる。
【００４９】
次に、第１実施形態の検査システムの動作について説明する。
【００５０】
図４は第１実施形態における検査システムの動作の流れを示すフローチャートである。
【００５１】
各検査装置２は、トリガーが入力されるまで（ステップＳ１：ＮＯ）、待機する。トリガーは、上述の通り、トリガー発生装置により発生され、該トリガー発生装置が設置される検査ライン３の検査装置２に入力される。したがって、トリガー発生装置により、複数の検査装置２のうち一つが特定される。
【００５２】
トリガーが入力されると（ステップＳ１：ＹＥＳ）、検査装置２は、通信可能な範囲を決定する（ステップＳ２）。たとえば、検査装置２は、通信可能な範囲を図２に示す第２段階の範囲に決定する。
【００５３】
そして、検査装置２は、決定した通信可能範囲で、検査対象となる検査車両１（車載装置１０）を検索する（ステップＳ３）。検査装置２は、検査車両１が１台検索されたかどうかを判断する（ステップＳ４）。
【００５４】
検査車両１が１台検索されなかった場合（ステップＳ４：ＮＯ）、さらに、検査車両１が全く検索できなかったどうかを判断する（ステップＳ５）。検査車両１が検索されなかった場合（ステップＳ５：ＹＥＳ）、検査装置２は、通信範囲を拡大し（ステップＳ６）、ステップＳ７の処理に進む。たとえば、検査装置２は、通信可能範囲を図２に示す第２段階から第３段階に広げる。
【００５５】
検査車両１が検索された場合、すなわち、検査車両１が２台以上検索された場合（ステップＳ５：ＮＯ）、検査装置２は、通信範囲を縮小して（ステップＳ７）、ステップＳ８の処理に進む。たとえば、検査装置２は、通信可能範囲を図１に示す第２段階から第１段階に狭める。
【００５６】
検査装置２は、通信範囲を変更して、これまでに所定回数以上、検査車両１を検索したかどうかを判断する（ステップＳ８）。検査車両１の検索が所定回数以上である場合（ステップＳ８：ＹＥＳ）、検査装置２は、検査車両１に異常が生じていると判断し、異常処理をして（ステップＳ９）、異常があった旨を同じ検査ライン３にある結果表示機４に表示させる（ステップＳ１５）。ここで、所定回数は、検索をリトライする回数であり、予め設定されている。
【００５７】
一方、検査車両１が１台検索された場合（ステップＳ４：ＹＥＳ）、検査装置２は、検索した検査車両１を特定する（ステップＳ１０）。そして、検査装置２は、特定した検査車両１と同期通信を開始し、さらに、十分検査車両１が入るような大きさに通信範囲を拡大する（ステップＳ１１）。ここで、検査車両１の特定後は、同期通信方式を採用するので、通信範囲を拡大しても、他の検査ライン３上の検査車両１と通信が混線しない。こうして、検査装置２と、検査車両１との通信が確立する（ステップＳ１２）。
【００５８】
検査装置２は、特定した検査車両１の車載装置１０と同期通信方式による音声通話を開始する（ステップＳ１３）。そして、上述の（１）通話動作、（２）コンテンツ閲覧動作、（３）電子メール受信動作、（４）通信ナビゲーション動作を実現し、一連の検査１〜４を実施する（ステップＳ１４）。
【００５９】
検査１〜４が終了すると、検査装置２は、同じ検査ライン３にある結果表示機４に検査結果を表示させる（ステップＳ１５）。
【００６０】
以上のように、第１実施形態の検査システムによれば、検査装置２は、検査車両１を１台も検索できなかった場合は、通信範囲を広げる。したがって、電波環境障害の影響があるような場合でも、１台の検査車両１を特定できる。逆に、検査車両１を２台以上検索した場合、すなわち、隣接する検査ライン３の検査車両１も検索された場合は、通信範囲を狭める。したがって、１台の検査車両１を検索できる。通信範囲の拡大および縮小を繰り返すことにより、１台の検査車両１に絞り込んで、特定できる。結果として、無線の障害になるようなものが周囲にあっても、検査装置２は、容易に一の検査車両１を特定でき、安定して検査車両１の車載装置１０と同期通信方式による無線接続ができる。
【００６１】
また、検査装置２は、同じ検査ライン３の結果表示機４に検査結果を表示できる。したがって、検査車両１の近辺にいる作業者は、自分が作業する検査ライン３の結果表示機４を見れば、容易に検査結果を確認できる。換言すると、作業者は、迷うことなく検査結果を確認できる。
【００６２】
なお、上記第１実施形態では、図２に示すように、通信範囲を大きく３段階としていたが、これに限定されない。通信範囲の拡張または縮小の段階をより細かく設定できる。
【００６３】
（第２実施形態）
第１実施形態では、検査装置２が同一の検査ライン３にある被検査物を特定し、該検査ライン３の結果表示機４に検査結果を表示している。これに対し、第２実施形態では、特定する検査車両１を、検査装置２と同一の検査ライン３にあるものに限定しない。その代わりに、検査装置２は、検査車両２の表示手段に直接検査結果を出力する。
【００６４】
図５は、第２実施形態における検査システムを示す概略図である。なお、図５では、車載装置１０の検査工程以外の検査工程は省略している。
【００６５】
図５に示すように、第２実施形態の検査システムは、複数の検査ライン３と、検査ライン３の数だけ設けられた複数の検査装置２とを有する。検査装置２同士は、有線または無線により接続されている。図２に示す第１実施形態の検査システムと異なる点は、結果表示機４が各検査ライン３に設けられていないことである。第２実施形態においても、車載装置１０および検査装置２は、第１実施形態で図１および図２を参照して説明したものと同様である。したがって、その説明は省略する。
【００６６】
以下、第２実施形態における検査システムの動作の流れを説明する。
【００６７】
図６は第２実施形態における検査システムの動作手順を示すフローチャートである。
【００６８】
図６に示すステップＳ２４〜３５は、図４に示すステップＳ３〜１４と同様であるので、他のステップについて主に説明する。
【００６９】
検査装置２は、検査開始の合図であるトリガーが入力されるまで（ステップＳ２１：ＮＯ）、待機する。
【００７０】
トリガーが入力されると（ステップＳ２１：ＹＥＳ）、複数の検査装置２のうち、現在検査を行っていない（空いている）検査装置２の一つが選択される（ステップＳ２２）。ここでは、例えば、予め定められた優先順位が最も高い検査装置２が選択される。
【００７１】
選択された検査装置２は、他の検査装置２が検査車両１を検索中かどうかを判断する（ステップＳ２３）。
【００７２】
他の検査装置２が検索中である場合（ステップＳ２３：ＹＥＳ）、該他の検査装置２の検索が終わるまで待機する。他の検査装置２が検索中でない場合（ステップＳ２３：ＮＯ）、検査装置２は、検査可能となっている車両１を検索し、通信範囲を拡大または縮小して１つの車両１だけを特定する（ステップＳ２５〜ステップＳ３１）。ここでは、検査装置２は、第１実施形態と異なり、通信可能となっている車両１であれば、同じ検査ライン３以外の検査ライン３上の車両１でも特定する。そして、検査装置２は、車両１との通信を確立し（ステップＳ３２、ステップＳ３３）、各種検査を実行する（ステップＳ３４、ステップＳ３５）。
【００７３】
ここで、検査装置２は、車載装置１０と無線接続されている。これを利用して、検査装置２は、図５に示すように、検査結果を車載装置１０に無線送信し、車載装置１０のスピーカ１３から音声出力させる。つまり、車載装置１０のスピーカ１３から音声により検査結果を作業者に伝える（ステップＳ３６）。
【００７４】
このように、第２実施形態では、検査結果を車載装置１０側で音声出力させる。したがって、作業者から見て、車載装置１０がどの検査装置２と通信しているかが判らなくても、車両１のスピーカ１３から検査結果を聞き、間違うことなく検査結果を知ることができる。
【００７５】
なお、検査結果を音声でスピーカ１３から出力する他に、ディスプレイ１５に表示させることもできる。この場合、例えば、検査結果を含む電子メールを検査装置２で作成し、これを車載装置１０に送信する。電子メールを開くと、検査結果がディスプレイ１５に表示される。
【００７６】
上記第１実施形態および第２実施形態では、検査装置２に携帯電話の機能を擬似的に再現して、車載装置１０を検査する場合について説明している。しかし、これに限定されない。第１実施形態および第２実施形態に係る発明は、携帯電話の機能が組み込まれた車載装置にも適用できる。この場合、検査装置２は、携帯電話基地局の役割を擬似的に実現して、車載装置と通信を行い、車載装置を検査する。この通信は、通常の携帯電話と同様の仕組みで達成される。
【図面の簡単な説明】
【００７７】
【図１】第１実施形態における車載装置の概略構成および検査装置の機能概要を示す図である。
【図２】第１実施形態における検査システムを示す概略図である。
【図３】検査装置２の通信範囲を可変にする構成を示すブロック図である。
【図４】第１実施形態における検査システムの動作の流れを示すフローチャートである。
【図５】第２実施形態における検査システムを示す概略図である。
【図６】第２実施形態における検査システムの動作手順を示すフローチャートである。
【符号の説明】
【００７８】
１…車両、
２…検査装置、
３…検査ライン、
４…結果表示機、
１０…車載装置、
１１…制御部、
１２…マイク、
１３…スピーカ、
１４…ステアリングＳＷ、
１５…ディスプレイ、
２１…ＣＰＵ、
２２…無線部、
２３…プログラマブル可変アッテネータ。
【図１】
2006031118.tif 000003
【図２】
2006031118.tif 000004
【図３】
2006031118.tif 000005
【図４】
2006031118.tif 000006
【図５】
2006031118.tif 000007
【図６】
2006031118.tif 000008